(57)【要約】【課題】  梁の配筋が組み終わった後であっても、狭い配筋の隙間から容易に取り付けることができるスリーブ構造及びスリーブ取付方法を提供する。【解決手段】  長さ方向に分割可能であって、両端に配置される蓋管15と前記蓋管15に遊嵌されるスライド管16とを備えるスリーブ２と、スリーブ２を結束する結束手段３とスリーブ２を所定長さに保持する調節手段４とスリーブ２を鉄筋８に固定する固定手段５とを備える。結束手段３はストッパ26を備えたワイヤ25と前記ワイヤ25が挿通するワイヤ挿通部23とからなる。調節手段４は係合部30を備えた横杆31と横杆31を前記スリーブ２の一端に着脱自在に固定する基部20と係合部30に前記スリーブ２の他端を係合させる係合受部22とからなる。【選択図】図１
2006299511.tif 000002
【特許請求の範囲】
【請求項１】
長さ方向に分割可能な複数の構成管によって形成され、前記構成管の少なくとも１個は他の構成管に遊嵌されるスライド部を備えるスリーブと、前記スリーブを結束する結束手段と、前記スリーブを所定長さに保持する調節手段と、前記スリーブを鉄筋に固定する固定手段とを備えることを特徴とするスリーブ構造。
【請求項２】
前記結束手段は、ストッパを備えたワイヤと、前記ワイヤが挿通するワイヤ挿通部とからなり、前記ワイヤ挿通部は前記スリーブに設けることを特徴とする請求項１記載のスリーブ構造。
【請求項３】
前記調節手段は、係合部を備えた横杆と、前記横杆を前記スリーブの一端に着脱自在に固定する基部と、前記係合部に前記スリーブの他端を係合させる係合受部とからなることを特徴とする請求項１又は２記載のスリーブ構造。
【請求項４】
前記固定手段は、縦杆と、前記縦杆の一端を前記スリーブに着脱自在に固定する保持部と、前記縦杆の他端を鉄筋に結合する結合部とからなることを特徴とする請求項１〜３いずれか１項記載のスリーブ構造。
【請求項５】
長さ方向に分割可能な複数の構成管によって形成され、前記構成管の少なくとも１個は他の構成管に遊嵌されるスライド部を備えるスリーブと、前記スリーブを結束する結束手段と、前記スリーブを所定長さに保持する調節手段と、前記スリーブを鉄筋に固定する固定手段とを備えるスリーブ構造を用い、分割した状態で設置場所へ挿入した前記スリーブを結束し、前記スリーブを所定長さに伸長し、前記スリーブを鉄筋に固定することを特徴とするスリーブ取付方法。
【発明の詳細な説明】
【技術分野】
【０００１】
本発明は、建築物の梁などをコンクリートを打設して形成するときに、配管用の穴を設けるために使用するスリーブ構造及びスリーブ取付方法に関するものである。
【背景技術】
【０００２】
従来、この種のスリーブとして、複数の構成筒からなり、後続の構成筒は前の構成筒にスライド自在に内嵌されていて、最後尾の構成筒を除く又は含む各構成筒には、前進した後続の構成筒の前縁が当接して、後続の構成筒が前の構成筒から抜け出すのを防止する前ストッパが設けられているとともに、最前の構成筒を除く又は含む各構成筒の前縁外周に突設した外突起に当接して、後退した後続の構成筒が前の構成筒から抜け出すのを防止する後ろストッパが、最後尾の構成筒を除く又は含む各構成筒の後縁内周に突設されている伸縮するスリ−ブが開示されている（例えば特許文献１）。
【特許文献１】特開平１１−３０３３９１号公報
【発明の開示】
【発明が解決しようとする課題】
【０００３】
しかしながら、上記特許文献１においては、スライド自在な複数の構成筒を一体的に備えたものであるため、スリーブ全体が大型化する。したがって、梁の配筋が組み終わった後に前記スリーブを取り付けるのは実質的に不可能であった。そのため、鉄筋工事と型枠工事の作業工程に合わせて、場所毎にその都度作業を行う必要があり、鉄筋工事と型枠工事が終了した後、一括して梁にスリーブを取り付けることができず、作業性に劣るという問題があった。また、梁の鉄筋工事と型枠工事後に設置できたとしても、配筋の狭い隙間から前記スリーブを通すのが困難であり、作業工数が増大するという懸念があった。
【０００４】
そこで、本願発明は上記した問題点に鑑み、梁の配筋が組み終わった後であっても、配筋の狭い隙間から容易に取り付けることができるスリーブ構造及びスリーブ取付方法を提供することを目的とする。
【課題を解決するための手段】
【０００５】
上記目的を達成するために、請求項１に係る発明は、長さ方向に分割可能な複数の構成管によって形成され、前記構成管の少なくとも１個は他の構成管に遊嵌されるスライド部を備えるスリーブと、前記スリーブを結束する結束手段と、前記スリーブを所定長さに保持する調節手段と、前記スリーブを鉄筋に固定する固定手段とを備えることを特徴とする。
【０００６】
また、請求項２に係る発明は、前記結束手段が、ストッパを備えたワイヤと、前記ワイヤが挿通するワイヤ挿通部とからなり、前記ワイヤ挿通部は前記スリーブに設けることを特徴とする。
【０００７】
また、請求項３に係る発明は、前記調節手段が、係合部を備えた横杆と、前記横杆を前記スリーブの一端に着脱自在に固定する基部と、前記係合部に前記スリーブの他端を係合させる係合受部とからなることを特徴とする。
【０００８】
また、請求項４に係る発明は、前記固定手段が、縦杆と、前記縦杆の一端を前記スリーブに着脱自在に固定する保持部と、前記縦杆の他端を鉄筋に結合する結合部とからなることを特徴とする。
【０００９】
また、請求項５に係る発明は、長さ方向に分割可能な複数の構成管によって形成され、前記構成管の少なくとも１個は他の構成管に遊嵌されるスライド部を備えるスリーブと、前記スリーブを結束する結束手段と、前記スリーブを所定長さに保持する調節手段と、前記スリーブを鉄筋に固定する固定手段とを備えるスリーブ構造を用い、分割した状態で設置場所へ挿入した前記スリーブを結束し、前記スリーブを所定長さに伸長し、前記スリーブを鉄筋に固定することを特徴とする。
【発明の効果】
【００１０】
本発明の請求項１記載のスリーブ構造によれば、スリーブを長さ方向に分割可能な複数の構成管と、前記構成管の少なくとも１個に設けた他の構成管に遊嵌されるスライド部とで構成することにより、梁の配筋が組み終わった後であっても、配筋の狭い隙間から挿入して、設置場所にスリーブを容易に取り付けることができる。
【００１１】
また、請求項２に記載のスリーブ構造によれば、ストッパを備えたワイヤでスリーブを結束することにより、分割したスリーブを設置場所に挿入した後、ワイヤの他端を引き上げることによって同軸上にスリーブを連結し、かつ、ワイヤの一端を引き上げることによって垂直方向にあるスリーブを水平方向へ回転することができ、スリーブを確実に結束すると共に、所定の姿勢に合わせることができる。
【００１２】
また、請求項３に記載のスリーブ構造によれば、設置場所でスリーブを結束した後、横杆を組み付けることができるので、分割した状態でスリーブを設置場所に挿入することができると共に、作業工数を低減できる。
【００１３】
また、請求項４に記載のスリーブ構造によれば、スリーブを設置場所で水平に保持した後、縦杆をスリーブに固定することができるので、容易にスリーブを設置場所で結束しかつ所定の姿勢にすると共に、スリーブに固定した縦杆を水平方向に移動させることによってスリーブを所定長さにすることもできるので、作業工数をより低減できる。
【００１４】
また、請求項５に記載のスリーブ取付方法によれば、スリーブを分割可能な蓋管と前記蓋管に遊嵌されるスライド管とで構成することにより、梁の配筋が組み終わった後であっても、狭い配筋の隙間から容易に挿入し、取り付けることができる。
【発明を実施するための最良の形態】
【００１５】
以下図１及び図２を参照して、本発明の好適な実施形態について説明する。
【００１６】
図１に示すスリーブ構造１は、長さ方向に分割及び伸縮可能なスリーブ２と、前記スリーブ２を結束する結束手段３と、前記スリーブ２を所定長さに保持する調節手段４と、前記スリーブ２を鉄筋に固定する固定手段５とを備え、梁用型枠６に取り付けられる。この梁用型枠６は、スラブ用型枠７に突設され、前記梁用型枠６及びスラブ用型枠７には鉄筋８が配置されている。前記鉄筋８は、梁用型枠６の長手方向に延びる長尺部材であって上下に配置された主筋９と、前記主筋９を外側から囲むように配置されたループ筋10とからなる。また、スラブ用型枠７にはスラブ筋11が配置されている。
【００１７】
次に、スリーブ２の構成について説明する。前記スリーブ２は、主に塩化ビニル製の管であって、長さ方向に分割可能な複数の構成管を連結して形成される。前記スリーブ２は、後述する蓋部を構成管に設けた蓋管15と、後述するスライド部を構成管に設けたスライド管16とを備える。前記スライド管16はスリーブ２に少なくとも１個配置される。本実施例では、一対の蓋管15を両側に配し、中央に２個のスライド管16が配置されている。
【００１８】
前記蓋管15は、前記スリーブ２の両端となる基端管15aと先端管15bとにより構成される。前記基端管15aは外周に基部20と保持部21とワイヤ挿通部23と、補強筋５側に着脱可能な前記蓋部17と、前記蓋部17が形成されていない側に設けられた接続部18とを備える。前記基部20は、前記スリーブ２の両端より内側となる基端管15aの外周に突設され、前記スリーブ２の内側に雌ネジ20aが形成されている。前記保持部21は、設置した状態においてスリーブ２の上面となる位置に形成され、半径方向に開口する雌ネジ21aが設けられている。上記基部20と保持部21とは同位相となるスリーブ２の外周に設けられており、この基部20及び保持部21と位相が略９０度ずれた位置に前記ワイヤ挿通部23が設けられている。前記ワイヤ挿通部23は基端管15aの外周に突設され、軸方向に貫通した穴23aが形成されている。前記接続部18はスライド管16の内径より小さい外形を有しスライド管16に内挿される。また、前記先端管15bは外周に係合受部22と前記保持部21と前記ワイヤ挿通部23と、補強筋５側に着脱可能な蓋部17とを備える。前記係合受部22は、スリーブ２の内側となる先端管15bの外周に突設され、軸方向に貫通する穴22aが形成されている。先端管15bに設けられた前記保持部21は、後述する係合部との干渉を回避するための貫通穴21bが設けられている。
【００１９】
前記スライド管16は、一端に前記蓋管15に遊嵌される前記スライド部16aを備え、外周に前記ワイヤ挿通部23と、ボルト挿通部24とが設けられている。前記スライド部16aは前記蓋管15の内径より小さい外径を有し、前記スライド管16の端部に一体的に形成されている。前記ボルト挿通部24は、前記基部20及び前記係合受部22と同位相となるスライド管16の外周に突設され、軸方向に貫通した穴24aが形成されている。また、スライド管16の外周には前記ワイヤ挿通部23が設けられている。
【００２０】
上記のように構成されたスリーブ２は、前記結束手段３で結束される。以下、結束手段３の構成について説明する。前記結束手段３は、前記ワイヤ挿通部23と、前記ワイヤ挿通部23に挿通されるワイヤ25と、前記ワイヤ25に設けられたストッパ26とからなる。前記ストッパ26は、基端管15aに設けられた前記ワイヤ挿通部23に係止するように形成されている。ワイヤ挿通部23に挿通されたワイヤ25は両端25a,25bにおいて前記主筋９に係回される。
【００２１】
上記のように結束されたスリーブ２は調節手段４により所定長さに伸長される。以下調節手段４について説明する。前記調節手段４は、前記係合部30を備えた横杆31と、前記横杆31に前記スリーブ２の一端を着脱自在に固定する前記基部20と、前記係合部30に前記スリーブ２の他端を係合させる前記係合受部22とからなる。
【００２２】
前記横杆31は、両端に雄ネジを形成した円柱部材で構成され、一端に前記係合部30を構成するナットが螺合されている。この横杆31の前記係合部30が設けられていない他端31aは、前記基部20に形成された雌ネジ20aに螺合し、横杆31が基端管15aに固定される。また、この横杆31はスリーブ２の外周に形成された前記ボルト挿通部24に挿通され、前記係合受部22が前記係合部30に当接する。
【００２３】
蓋管15及びスライド管16にそれぞれ形成された前記ワイヤ挿通部23は、分割可能なスリーブ２を接続したときに、スリーブ２の外周面に一直線上に並ぶように形成される。このワイヤ挿通部23は、設置した状態におけるスリーブ２の中心軸に対して左右対称に一対形成される。同じように、前記基部20、前記ボルト挿通部24及び前記係合受部22は、分離可能なスリーブ２を接続したときに、スリーブ２の外周面に一直線に並ぶように形成される。このボルト挿通部24は、設置した状態におけるスリーブ２の中心軸に対して上下対称に、すなわち前記ワイヤ挿通部23と位相を略９０度ずらして一対形成される。
【００２４】
上記のように所定長さに伸長されたスリーブ２は、前記固定手段５により鉄筋８に固定される。以下、固定手段５について説明する。固定手段５は、縦杆33と、前記縦杆33の一端を前記スリーブ２に着脱自在に固定する前記保持部21と、前記縦杆33の他端を鉄筋８に結合する結合部34とからなる。
【００２５】
前記縦杆33は、一端に前記保持部21に形成された雌ネジ21aに螺合する雄ネジ33aが形成された円柱部材で構成され、結合部34である他端において前記スラブ筋11に固定される。
【００２６】
また、このように構成されたスリーブ構造１の両端には、同心円状にリング形状の補強筋35が配置されており、前記ループ筋10に固定されている。
【００２７】
次に上記構成に係るスリーブ２の取付方法について図３、図４を参照して説明する。本発明にかかるスリーブ構造１を取付ける際、梁用型枠６内には既に主筋９及びループ筋10からなる鉄筋８が設置されている。したがって、設置された鉄筋８の間に形成された狭い隙間からスリーブ２を挿入し、梁用型枠６内に取付ける。この場合の取付方法について、以下説明する。
【００２８】
先ず、図３（Ａ）に示すように、梁用型枠６内に配筋された上部の主筋９の下側に、ストッパ26を設けたワイヤ25の一端25aを通し、ワイヤ25を略Ｕ字状に係回する。次いで、図３（Ｂ）に示すように、ワイヤ25の他端25bを基端管15aに設けたワイヤ挿通部23に挿通する。ワイヤ25を挿通した基端管15aは、鉄筋８の隙間Ｗから梁用型枠６内へ挿入する。同様にワイヤ挿通部23にワイヤ25を挿通し、２個のスライド管16、先端管15bの順に梁用型枠６へ挿入する。このように、スリーブ２を構成する各管は分離した状態で挿入できるので、既に配筋された鉄筋８の狭い隙間を容易に通すことができる。
【００２９】
次いで、図３（Ｃ）に示すように、ワイヤ25の他端25bを引き上げる。ワイヤ25の他端25bを引き上げると、ストッパ26が基端管15aに設けたワイヤ挿通部23に係止する。ストッパ26が基端管15aに設けたワイヤ挿通部23に係止すると、下から基端管15a、２個のスライド管16、先端管15bの順にスリーブ２が結束する。また、結束したスリーブ２のボルト挿通部24に、横杆31を挿通する。ボルト挿通部24に挿通した横杆31は、一端を基部20に固定すると共に、他端に係合部30を設ける。このとき、スリーブ２を構成する各管に形成されたワイヤ挿通部23とボルト挿通部24とは、位相が略９０度ずれており、結束したときにそれぞれが一直線状に並ぶように形成されているので、ワイヤ25の他端25bを引き上げることによって各管を同軸上に連結すると共に横杆31を容易に挿通し固定することができる。ここで、前記基部20と前記係合受部22とがスリーブ２の両端より内側となる基端管15a及び先端管15bの外周にそれぞれ設けられていることにより、横杆31の先端と基端管15aとを結ぶ対角線の距離Ｌが梁用型枠６の幅長さＴより短く形成されている。さらに、リング形状の補強筋35をスリーブ２の周囲に設ける。
【００３０】
次いで、図４（Ａ）に示すように、ワイヤ25の一端25aを引き上げ、スリーブ２を９０度回転させ略水平にし、補強筋35をループ筋10に固定する。このとき、上記したように横杆31の先端と基端管15aとを結ぶ対角線の距離Ｌが梁用型枠６の幅長さＴより短く形成されていることにより、伸長した場合のスリーブ２の全長より横杆31を短く形成することができるので、狭い梁用型枠６内で容易にスリーブ２を回転させることができる。この状態で略水平に保持されたスリーブ２に設けた保持部21に縦杆33を固定する。
【００３１】
次いで、図４（Ｂ）に示すように、スリーブ２に固定した縦杆33を水平方向に移動させ、スリーブ２を伸長する。あるいは隙間Ｗから手を入れ、手作業でスリーブ２を伸長してもよい。スリーブ２を伸長すると、先端管15bに設けた係合受部22が横杆31に形成した係合部30に当接し所定長さに位置決めされる。この状態で、図４（Ｃ）に示すように、縦杆33の結合部34をスラブ筋11に針金などで固定すると共に、ワイヤ25の両端25a,25bを主筋９に係回して固定する。尚、蓋部17が梁用型枠６に当接するようにスリーブ２を伸長することが好ましいが、蓋部17と梁用型枠６との間に隙間があっても蓋部17の外側のコンクリートを落して貫通孔を形成できる。
【００３２】
上記のようにスリーブ２を取り付けた梁用型枠６及びスラブ用型枠７にコンクリートを打設し、梁6aとスラブ7aを形成する。梁6aとスラブ7aから型枠６，７をそれぞれ取り外し、スリーブ２の両端を塞いでいる蓋部17を着脱することにより、貫通穴を形成することができる。
【００３３】
上記のように本実施例では、長さ方向に分割可能であって、両端に配置される蓋管15と、前記蓋管15に遊嵌されるスライド管16とを備えるスリーブ２と、前記スリーブ２を結束する結束手段３と、前記スリーブ２を所定長さに保持する調節手段４と、前記スリーブ２を鉄筋８に固定する固定手段５とを備えるから、梁6aの配筋が組み終わった後、鉄筋８の狭い隙間Ｗから梁用型枠６内にスリーブ２を挿入することによって、一括して複数箇所の取り付けをすることができる。
【００３４】
また、前記結束手段３が、ストッパ26を備えたワイヤ25と、前記ワイヤ25が挿通するワイヤ挿通部23とからなり、前記ワイヤ挿通部23は前記スリーブ２に設けるから、ストッパ26を備えたワイヤ25でスリーブ２を結束することにより、分割したスリーブ２を梁用型枠６内に挿入した後、ワイヤ25の他端25bを引き上げることによって同軸上にスリーブ２を連結し、かつ、ワイヤ25の一端25aを引き上げることによって垂直方向にあるスリーブ２を水平方向へ回転することができ、スリーブ２を確実に結束すると共に、所定の姿勢に合わせることができる。
【００３５】
また、前記調節手段４が、係合部30を備えた横杆31と、前記横杆31を前記スリーブ２の一端に着脱自在に固定する基部20と、前記係合部30に前記スリーブ２の他端を係合させる係合受部22とからなるから、梁用型枠６内でスリーブ２を結束した後、横杆31を組み付けることができるので、分割した状態でスリーブ２を梁用型枠６内に挿入することができると共に、作業工数を低減できる。
【００３６】
また、前記固定手段５が、縦杆33と、前記縦杆33の一端を前記スリーブ２に着脱自在に固定する保持部21と、前記縦杆33の他端を鉄筋８に結合する結合部34とからなるから、スリーブ２を梁用型枠６内で水平に保持した後、縦杆33をスリーブ２に固定することができるので、容易にスリーブ２を梁用型枠６内で結束しかつ所定の姿勢にすると共に、スリーブ２に固定した縦杆33を水平方向に移動させることによってスリーブ２を所定長さにすることもできるので、作業工数をより低減できる。
【００３７】
また、長さ方向に分割可能であって、両端に配置される蓋管15と、前記蓋管15に遊嵌されるスライド管16とを備えるスリーブ２と、前記スリーブ２を結束する結束手段３と、前記スリーブ２を所定長さに保持する調節手段４と、前記スリーブ２を鉄筋８に固定する固定手段５とを備えるスリーブ構造１を用い、分割した状態で設置場所へ挿入した前記スリーブ２を結束し、前記スリーブ２を所定長さに伸長し、前記スリーブ２を鉄筋８に固定するから、梁の配筋が組み終わった後、鉄筋８の狭い隙間Ｗから梁用型枠６内にスリーブ２を挿入することによって、一括して複数箇所の取り付けをすることができる。
【００３８】
また、基部20と係合受部22とはスリーブ２の両端より内側となる基端管15a及び先端管15bの外周に設けたことにより、伸長した場合におけるスリーブ２の全長より横杆31を短く形成することができるので、狭い梁用型枠６内でも横杆31を固定したスリーブ２を容易に回転させることができる。
【００３９】
また、ワイヤ挿通部23とボルト挿通部24とはスリーブ２の軸方向に開口した貫通穴23a,24aを備えることにより、上方からスリーブ２を結束し、横杆31を挿入すると共に固定することができるので、狭い梁用型枠６内でも容易にスリーブ２を結束することができる。
【００４０】
また、保持部21はスリーブ２の上側に雌ネジを備えていることにより、結束したスリーブ２を設置場所へ回転した状態で上方から縦杆33を固定することができるので、梁用型枠６内でも容易にスリーブ２を鉄筋８に固定することができる。
【００４１】
また、スリーブ２の周囲にはリング状の補強筋35を設けることにより、梁の強度を向上することができる。
【００４２】
本発明は、本実施形態に限定されるものではなく、本発明の要旨の範囲内で種々の変形実施が可能である。
【００４３】
上記実施例では、スリーブ２を構成する構成管は遊嵌して連結する場合について説明したが、本発明はこれに限られず、螺合により連結することとしてもよい。
【００４４】
また、スリーブ２は、一対の蓋管15を両側に配し、中央にスライド管16が配置した場合について説明したが、本発明はこれに限られず、形成される梁の幅、大きさに合わせて、構成管の数、配置、スライド部16aの長さ及び位置などを変更することとしてもよい。
【００４５】
また、スライド部16aはスライド管16に一体的に設けた場合について説明したが、本発明はこれに限られず、スライド部16aをスライド管16と別部材として設けることとしてもよい。
【００４６】
また、先端管15bに設けた保持部21は、係合部30との干渉を回避するための貫通穴21bを設ける場合について説明したが、本発明はこれに限られず、ボルト挿通部24及び係合受部22と位相の異なる位置に保持部21を設けることとしてもよい。
【図面の簡単な説明】
【００４７】
【図１】本発明に係るスリーブ構造を示す正面図であり、取り付けた状態を示す図である。
【図２】同上、縦断面図である。
【図３】本発明に係るスリーブの取付方法を示す概略図（１）である。
【図４】本発明に係るスリーブの取付方法を示す概略図（２）である。
【符号の説明】
【００４８】
１    スリーブ構造
２    スリーブ
３    結束手段
４    調節手段
５    固定手段
６    梁用型枠
８    鉄筋
15    蓋管（構成管）
16    スライド管（構成管）
20    基部
21    保持部
22    係合受部
23    ワイヤ挿通部
25    ワイヤ
26    ストッパ
30    係合部
31    横杆
33    縦杆
34    結合部
【図１】
2006299511.tif 000003
【図２】
2006299511.tif 000004
【図３】
2006299511.tif 000005
【図４】
2006299511.tif 000006